(57)【要約】【課題】見守り者が対象者の様子を具体的に想像しやすいメッセージを生成するメッセージ生成装置を実現する。【解決手段】メッセージ生成装置（１０）は、取得された参照情報を参照してイベント発生の有無、及び発生したイベントの種別を判定するイベント判定手段（１３）と、上記イベント判定手段（１３）の判定結果と時刻情報とに基づいて対象者のステータスを判定するステータス判定手段（１４）と、上記ステータスに基づいて、上記対象者の行動に関するメッセージを生成するメッセージ生成手段（１６）と、を備えている。【選択図】図１
2015060382.tif 000002
【特許請求の範囲】
【請求項１】
取得された参照情報を参照して、イベント発生の有無、及び発生したイベントの種別を判定するイベント判定手段と、
上記イベント判定手段によって判定されたイベントと時刻情報とに基づいて対象者のステータスを判定するステータス判定手段と、
上記ステータス判定手段によって判定されたステータスに基づいて、上記対象者の行動に関する１又は複数のメッセージを生成するメッセージ生成手段と
を備えていることを特徴とするメッセージ生成装置。
【請求項２】
上記ステータス判定手段は、上記イベント判定手段によって判定された複数のイベントに基づいて上記対象者のステータスを判定する
ことを特徴とする請求項１に記載のメッセージ生成装置。
【請求項３】
上記ステータス判定手段は、上記対象者に関する過去のステータス判定結果を参照して、当該対象者のステータスを判定する
ことを特徴とする請求項１または２に記載のメッセージ生成装置。
【請求項４】
上記メッセージ生成手段によって生成された複数のメッセージから、ユーザ入力に基づき、少なくとも１つのメッセージを選択する選択手段を更に備えている
ことを特徴とする請求項１から３の何れか１項に記載のメッセージ生成装置。
【請求項５】
上記イベント判定手段は、上記参照情報として、電力に関する情報である電力情報、家電機器の状態または家電機器の状態変化の少なくともいずれか一方を示す機器情報、及び、センサから取得された情報であるセンサ情報のうち、１または複数の情報を参照する
ことを特徴とする請求項１から４の何れか１項に記載のメッセージ生成装置。
【請求項６】
上記電力情報は、各家電機器の電力量および主幹電力量のうち、少なくともいずれかを示す情報である
ことを特徴とする請求項５に記載のメッセージ生成装置。
【請求項７】
上記機器情報は、家電機器において実行された操作に関する操作情報を含む
ことを特徴とする請求項５または６に記載のメッセージ生成装置。
【請求項８】
上記センサ情報は、所定の領域に上記対象者がいるのか否かを示す情報である
ことを特徴とする請求項５から７の何れか１項に記載のメッセージ生成装置。
【請求項９】
上記センサ情報は、人感センサ、集音センサおよび撮像センサうち、少なくともいずれかによって取得されたものである
ことを特徴とする請求項８に記載のメッセージ生成装置。
【請求項１０】
上記ステータス判定手段が判定する上記対象者のステータスには、起床、就寝、外出、帰宅の少なくとも何れかが含まれる
ことを特徴とする請求項１から９の何れか１項に記載のメッセージ生成装置。
【請求項１１】
上記参照情報を取得する参照情報取得手段を更に備えている
ことを特徴とする請求項１から１０の何れか１項に記載のメッセージ生成装置。
【請求項１２】
取得された参照情報を参照してイベントを判定するイベント判定ステップと、
上記イベント判定ステップにて判定されたイベントと時刻情報とに基づいて対象者のステータスを判定するステータス判定ステップと、
上記ステータス判定ステップにて判定されたステータスに基づいて、上記対象者の行動に関する１又は複数のメッセージを生成するメッセージ生成ステップと
を含んでいることを特徴とするメッセージ生成方法。
【請求項１３】
請求項１から１１の何れか１項に記載のメッセージ生成装置としてコンピュータを機能させるためのプログラムであって、コンピュータを上記各手段として機能させるためのプログラム。
【発明の詳細な説明】
【技術分野】
【０００１】
本発明は、メッセージ生成装置、メッセージ生成方法およびプログラムに関する。
【背景技術】
【０００２】
近年、高齢者の生活状況に関する情報をネットワークに接続された家電機器が取得し、高齢者の家族などに通知するシステム、および、このようなシステムを利用して提供される見守りサービスが知られている。
【０００３】
たとえば特許文献１には、通信網に接続した通信機能を備えたテレビであって、通信部と、テレビ操作情報格納部と、制御部と、を有する生活状況確認システムが記載されている。通信部は、登録したメールアドレスにメール送信する。テレビ操作情報格納部は、テレビの操作情報を格納する。制御部は、テレビ操作情報格納部の格納データと、テレビの操作とを比較し、違いが発生すると通信部に違いを知らせるメール送信を指示する。上記構成によれば、テレビ操作情報格納部の格納データと、テレビの操作との違いを見守り対象者の異常として検出し、見守り者にメールを送付する。具体的には、見守り者は、「設定時刻に、テレビの起動／停止スイッチが、ＯＮされていません。」というような異常を知らせるメッセージをメールにて受け取る。
【先行技術文献】
【特許文献】
【０００４】
【特許文献１】特開２０１１−２２７６９９号公報（２０１１年１１月１０日公開）
【発明の概要】
【発明が解決しようとする課題】
【０００５】
上述のように、異常を知らせるメッセージをメールにて受信した場合に、見守り者は、見守り対象者（以下、単に対象者とも表現する）がどのような状態であるのかを想像する必要がある。その結果、いつもより遅くまで寝ているだけであろう、というように緊急度が低いと想像した場合には、見守り者は上記メールを放置する。一方、様子がおかしいかもしれない、というように緊急度が高いと想像した場合には、見守り者は対象者に電話をするなどして状況を確認する。
【０００６】
このように、上記生活状況確認システムは、「設定時刻にテレビがＯＮ（またはＯＦＦ）されていない」という機器の状態のみを見守り者に連絡するものであり、見守り者にとって対象者の状態を想像しにくいという課題を有する。
【０００７】
本発明は、上記課題を鑑みてなされたものであって、見守り者が対象者の様子を具体的に想像しやすいメッセージを生成するメッセージ生成装置、メッセージ生成方法およびプログラムを実現することを目的とする。
【課題を解決するための手段】
【０００８】
上記の課題を解決するために、本発明の一態様に係るメッセージ生成装置は、取得された参照情報を参照して、イベント発生の有無、及び発生したイベントの種別を判定するイベント判定手段と、上記イベント判定手段によって判定されたイベントと時刻情報とに基づいて対象者のステータスを判定するステータス判定手段と、上記ステータス判定手段によって判定されたステータスに基づいて、上記対象者の行動に関する１又は複数のメッセージを生成するメッセージ生成手段と、を備えていることを特徴とする。
【０００９】
上記の課題を解決するために、本発明の一態様に係るメッセージ生成方法は、取得された参照情報を参照してイベントを判定するイベント判定ステップと、上記イベント判定ステップにて判定されたイベントと時刻情報とに基づいて対象者のステータスを判定するステータス判定ステップと、上記ステータス判定ステップにて判定されたステータスに基づいて、上記対象者の行動に関する１又は複数のメッセージを生成するメッセージ生成ステップと、を含んでいることを特徴とする。
【発明の効果】
【００１０】
本発明の一態様によれば、対象者の行動に関する１又は複数のメッセージが生成されるので、メッセージを受け取った見守り者は、対象者の様子を具体的に想像しやすい。
【図面の簡単な説明】
【００１１】
【図１】本発明の実施形態１に係るメッセージ生成装置の要部構成を示すブロック図である。
【図２】本発明の実施形態１に係るメッセージ生成装置を含むメッセージ生成システムを模式的に示す図である。
【図３】本発明の実施形態１に係るメッセージ生成装置が取得する電力量の時間変化を示す図である。
【図４】上記メッセージ生成装置が備えているステータス判定部が供給される時刻情報と、時間帯とを関連付ける表を示す図である。
【図５】（ａ）および（ｂ）は、上記メッセージ生成装置が備えているメッセージ抽出部が抽出するメッセージの一例を示す図である。
【図６】（ａ）および（ｂ）は、上記メッセージ生成装置が備えているメッセージ抽出部が抽出するメッセージの一例を示す図である。
【図７】本発明の実施形態２に係るメッセージ生成装置を含むメッセージ生成システムにおいて実行されるメッセージ生成処理の流れを示すシークエンス図である。
【図８】本発明の実施形態３に係るメッセージ生成装置の要部構成を示すブロック図である。
【図９】上記メッセージ生成装置が備えているメッセージ抽出部が抽出するメッセージの一例を示す図である。
【図１０】本発明の実施形態４に係るメッセージ生成装置を含むメッセージ生成システムにおいて実行されるメッセージ生成処理の流れを示すシークエンス図である。
【図１１】本発明の実施形態５に係るメッセージ生成装置の要部構成を示すブロック図である。
【図１２】上記メッセージ生成装置が備えているメッセージ抽出部が抽出するメッセージの一例を示す図である。
【図１３】本発明の実施形態６に係るメッセージ生成装置が備えているメッセージ抽出部が抽出する追加メッセージの一例を示す図である。
【図１４】本発明の実施形態７に係るメッセージ生成システムにおいて実行されるメッセージ生成処理の流れを示すシークエンス図である。
【発明を実施するための形態】
【００１２】
〔実施形態１〕
本実施形態に係るメッセージ生成装置１０について、図１から図６を参照して以下に説明する。まず、メッセージ生成装置１０の構成について、図１および図２を参照して説明する。図１は、メッセージ生成装置１０を含むメッセージ生成システム１００の要部構成を示すブロック図である。図２は、メッセージ生成装置１０を含むメッセージ生成システム１００を模式的に示す図である。
【００１３】
〔メッセージ生成システム１００の概要〕
図１および図２に示すように、メッセージ生成システム１００は、メッセージ生成装置１０、伝言板サーバ２０、住宅３０、住宅５０およびネットワーク６０を備えている。メッセージ生成装置１０、伝言板サーバ２０、住宅３０および住宅５０は、ネットワーク６０を介して、互いに通信可能に接続されている。
【００１４】
図２に示すように、住宅３０は、見守りの対象者であるおじいちゃんが一人暮らしをしている住宅である。一方、住宅５０は、見守り者であるお父さん、お母さんおよび子供が暮らしている住宅である。なお、図２において、お父さんは、外出しており、住宅５０の外部にいるものとして記載している。
【００１５】
（メッセージ生成装置１０）
図１に示すように、メッセージ生成装置１０は、通信部１１、情報取得部１２、イベント判定部１３、ステータス判定部１４、時計１５、メッセージ抽出部１６、メッセージ送信部１７、データベース（ＤＢ）記憶部１８およびリスト記憶部１９を備えている。
【００１６】
通信部１１は、外部との通信を行う手段である。具体的には、通信部１１は、伝言板サーバ２０、住宅３０および住宅５０と、たとえばインターネットなどのネットワーク６０を介して通信を行う。
【００１７】
情報取得部１２は、後述する住宅３０に配置されている情報取得装置３２から、参照情報である電力情報を取得する。電力情報の詳細については、図３を参照しながら後述するが、電力情報は、電力量を検出した機器および検出された電力量を含む情報である。情報取得部１２は、取得した電力情報を、ＤＢ記憶部１８に記憶させるとともにイベント判定部１３に供給する。
【００１８】
イベント判定部１３（イベント判定手段）は、取得した電力情報が含む電力量の変化に基づいてイベント判定を行うために、現時点での電力情報を参照可能なように構成されている。たとえば、イベント判定部１３は、ＤＢ記憶部１８に記憶されている過去の電力量を参照してもよい。または、イベント判定部１３が、一時的に情報を格納するバッファ（図１に不図示）を備え、情報取得部１２から供給された過去の電力情報を参照可能に構成されていてもよい。
【００１９】
イベント判定部１３（イベント判定手段）は、上述の電力情報を参照して、イベント発生の有無および発生したイベントの種別を判定する。イベントの詳細については、図３を参照しながら後述する。イベント判定部１３は、イベントについての判定結果を、ステータス判定部１４に供給する。
【００２０】
ステータス判定部１４（ステータス判定手段）は、イベント判定部１３から供給されるイベントについての判定結果と、時計１５から供給される時刻情報とに基づいて、おじいちゃんのステータスを判定する。ステータス判定部１４は、判定したステータスを、メッセージ抽出部１６に供給し、また、ＤＢ記憶部１８に記憶させる。ステータスは、おじいちゃんの状態を示す情報である。本実施形態において、ステータスには、起床、就寝、外出、帰宅の少なくとも何れかが含まれる。
【００２１】
メッセージ抽出部１６（メッセージ生成手段）は、ステータス判定部１４から供給されるステータスに基づいて、おじいちゃんの行動に関する１又は複数のメッセージを、リスト記憶部１９に格納されているメッセージリストの中から抽出する。メッセージ抽出部１６は、メッセージリストから抽出した１又は複数のメッセージを、メッセージ送信部１７に供給する。
【００２２】
メッセージ送信部１７は、通信部１１を介して、メッセージ抽出部１６から供給されるメッセージを、所定の送信先へ送信する。所定の送信先は、送信者リストとしてリスト記憶部１９に格納されている。すなわち、メッセージ送信部１７は、当該送信者リストを参照して、メッセージ抽出部１６から供給されるメッセージを、所定の送信先へ送信する。
【００２３】
ここで、所定の送信先は、電子伝言板サービス（以下では、単に伝言板とも表現する）を利用する特定のグループ（ホームグループ）であるとして説明する。ホームグループには、お母さんの携帯端末５２ａ、子供の携帯端末５２ｂ、お父さんの携帯端末５２ｃ、テレビ５３、および、おじいちゃんの携帯端末２が登録されている。すなわち、メッセージ送信部１７は、メッセージ抽出部１６から供給されるメッセージを、ホームグループに登録されている上記各端末に表示するように、伝言板サーバ２０に指示する。
【００２４】
なお、所定の送信先は、伝言板のホームグループに限定されるものではなく、ソーシャルネットワークサービス（ＳＮＳ）を利用する特定のユーザグループであってもよいし、お父さんやお母さんが使用する個人の電子メールアドレスまたは携帯電話番号であってもよい。
【００２５】
（伝言板サーバ２０）
伝言板サーバ２０は、上述の伝言板を管理するサーバである。具体的には、伝言板サーバ２０は、ホームグループに登録されている端末およびメッセージ生成装置１０からメッセージの投稿を受け付け、伝言板の表示内容を更新する。
【００２６】
（住宅３０）
図２に示すように、住宅３０は、ホームゲートウェイ３１、情報取得装置３２、主幹電力検出器３３、家電機器およびセンサを備えている。ホームゲートウェイ３１は、住宅３０内に設けられているローカルエリアネットワーク（ＬＡＮ）と、ネットワーク６０とを通信可能なように接続するものである。おじいちゃんの携帯端末２は、住宅３０の内部からホームゲートウェイ３１に接続することによって、ネットワーク６０に接続されている伝言板サーバ２０などと通信可能な状態になる。情報取得装置３２、主幹電力検出器３３、および、各家電機器が備えている電力検出器は、住宅３０内のＬＡＮに接続されており、互いに通信可能なように構成されている。
【００２７】
情報取得装置３２は、主幹電力検出器３３が検出する消費電力量、および、各家電機器に配置されている電力検出器が検出する消費電力量を取得し、メッセージ生成装置１０に送信するものである。
【００２８】
主幹電力検出器３３は、住宅３０が消費する消費電力量を検出し、情報取得装置３２に当該消費電力量を供給する。
【００２９】
家電機器であるエアコン３４、テレビ３５、照明装置３６および洗濯機３７は、各家電機器の消費電力量を検出可能な電力検出器を備えている。図１に示すように、エアコン３４は、電力検出器３４Ｄを備えており、テレビ３５は、電力検出器３５Ｄを備えている。電力検出器３４Ｄは、エアコン３４の消費電力量を情報取得装置３２に供給し、電力検出器３５Ｄは、テレビ３５の消費電力量を情報取得装置３２に供給する。本実施形態において、たとえば電力検出器３４Ｄは、エアコン３４に外付けされているものとして説明しているが、エアコン３４に内蔵されていてもよい。電力検出器を外付けする形態については、家電機器のコンセントを利用してもよいし、家電機器に電力を供給する分電盤の回路側電力線を利用してもよいが、家電機器が特定できる方がより望ましい。
【００３０】
なお、センサについては、後述する実施形態５において説明する。
【００３１】
（住宅５０）
図２に示すように、住宅５０は、ホームゲートウェイ５１を備えている。ホームゲートウェイ５１は、住宅５１内に設けられているＬＡＮと、ネットワーク６０とを通信可能なように接続するものである。お母さんの携帯端末５２ａ、子供の携帯端末５２ｂおよびテレビ５３は、住宅５０の内部からホームゲートウェイ５１に接続することによって、ネットワーク６０に接続されている伝言板サーバ２０などと通信可能な状態になる。
【００３２】
たとえばお母さんは、伝言板サーバ２０が更新する伝言板のタイムラインを、携帯端末５２ａに表示させることによって閲覧する。このことによって、お母さんは、メッセージ生成装置１０が生成したおじいちゃんの行動に関するメッセージを閲覧することができる。言い換えれば、お母さんは、おじいちゃんを見守ることができる。
【００３３】
（イベントの判定）
図３を参照しながら、イベント発生の有無、及び発生したイベントの種別を判定する方法について説明する。図３は、メッセージ生成装置１０が取得する電力量の時間変化を例示する図であり、下段は電力検出器３４Ｄが検出するエアコン３４の消費電力量の変化を示し、中段は電力検出器３５Ｄが検出するテレビ３５の消費電力量の変化を示し、上段は主幹電力検出器３３が検出する電力量の変化を示す。なお、主幹電力検出器３３は、住宅３０において消費される全ての電力量（以下において、主幹電力量とも表現する）を検出するものである。
【００３４】
時刻０：００から時刻５：００にかけて、エアコン３４およびテレビ３５の消費電力量は、それぞれほぼ０ｋＷｈである。この時間帯は、おじいちゃんが就寝中であると想像される時間帯である。家電機器は、一般的に電源がオフの状態（待機状態）であっても電力を消費する。しかし、その待機状態に消費される電力量はわずかであり、図３の下段および中段に示す図では０と見なせる電力量である。一方、エアコン３４の電源がオンにされると、エアコン３４の消費電力量は、０と見なせない値に遷移する。同様に、テレビ３５の電源がオンされると、テレビ３５の消費電力量は、０と見なせない値に遷移する。
【００３５】
イベント判定部１３（イベント判定手段）は、家電機器の消費電力量を０と見なせる場合に、当該家電機器の電源はオフであると判定する。また、家電機器の消費電力量を０と見なせない場合に、当該家電機器の電源はオンであると判定する。なお、０と見なせる消費電力量の上限値は、各家電機器が運転時に消費する電力量を考慮して適宜さだめることができる。たとえば、メッセージ生成装置の製造者は、エアコン３４において０と見なせる消費電力量の範囲を、０ｋＷｈから０．１ｋＷｈに設定し、テレビ３５において０と見なせる消費電力量の範囲を、０ｋＷｈから０．０００５ｋＷｈに設定する。
【００３６】
住宅３０には、エアコン３４およびテレビ３５とは異なり、常時電源がオンである家電機器も配置されている。たとえば、冷蔵庫などが、この常時電源がオンである家電機器に該当する。これらの家電機器は、時刻を問わずに動作している。したがって、おじいちゃんが活動していない期間であっても、住宅３０は略一定の電力量を消費する。本実施形態において、上記略一定の電力量のことを、定常電力量と表現する。図３の上段に示すように、住宅３０の定常電力量は、およそ０．２０ｋＷｈである。
【００３７】
おじいちゃんが住宅３０に在宅しており、なんらかの活動をしている場合、主幹電力量は定常電力量を上回る。図３の上段に示すように、主幹電力量に対して閾値電力量Ｐｔｈが設定されている。イベント判定部１３は、主幹電力量が閾値電力量Ｐｔｈを上回っている場合に、住宅３０は活性化されている、または、活性状態にあると判定する。一方、主幹電力量が閾値電力量Ｐｔｈ以下になっている場合に、住宅３０は活性化されていない、または、定常状態にあると判定する。本実施形態において、住宅３０の閾値電力量Ｐｔｈは０．２５ｋＷｈである。
【００３８】
以上のように、イベント判定部１３は、主幹電力量、エアコン３４の消費電力量、および、テレビ３５の消費電力量のうち、少なくとも１つの電力情報に基づいて、イベント発生の有無、および、イベントの種別を判定する。本実施形態において、イベント判定部１３は、特定の電力量において判定結果が変化した時点において、イベントの発生が「有」と判定する。言い換えれば、特定の電力量において判定結果が変化しなければ、イベントの発生は「無」である。
【００３９】
イベントの種別は、住宅３０（主幹電力検出器３３）、エアコン３４およびテレビ３５のうち何れが、どの状態に変化したのかを含む情報である。たとえば、主幹電力量が０．２３ｋＷｈから０．２８ｋＷｈに変化したとすれば、イベント判定部１３は、イベントの発生「有」と、イベントの種別「住宅３０が活性化された」とを判定結果としてステータス判定部１４に供給する。
【００４０】
（電力量の時間変化）
図３を参照しながら、電力量の時間変化、および、イベント判定部１３が実行する処理について説明する。
【００４１】
時刻０：００から時刻５：００にかけて、エアコン３４およびテレビ３５の消費電力量は、それぞれほぼ０ｋＷｈであり、主幹電力量は定常電力量である。すなわち、イベント判定部１３は、エアコン３４およびテレビ３５の電源はオフであり、住宅３０は定常状態であると判定する。すなわち、イベント判定部１３は、イベントの発生「無」を出力する。
【００４２】
時刻６：００（時刻Ａ）において、エアコン３４の消費電力量および主幹電力量が増加し始める。すなわち、エアコン３４の消費電力量は０と見なせなくなり、主幹電力量は閾値電力量Ｐｔｈを上回る。したがって、イベント判定部１３は、時刻Ａにおいてイベントの発生「有」、および、イベントの種別「住宅３０が活性化された、エアコン３４の電源がオンにされた」を出力する。エアコン３４の電源がオンにされたため、おじいちゃんは起きた可能性がある。しかし、エアコン３４の電源は、タイマーによってもオンにすることが可能であるため、おじいちゃんが起きたと断定はできない。
【００４３】
時刻７：００（時刻Ｂ）において、テレビ３５の消費電力量が増加し始め０と見なせなくなる。したがって、イベント判定部１３は、時刻Ｂにおいて、イベントの発生「有」、および、イベントの種別「テレビ３５の電源がオンにされた」を出力する。エアコン３４に加えてテレビ３５の電源がオンにされたことから、おじいちゃんが起きている可能性は高い。
【００４４】
時刻１１：００（時刻Ｃ）において、テレビ３５の消費電力量が０と見なせる状態になる。イベント判定部１３は、時刻Ｃにおいて、イベントの発生「有」、および、イベントの種別「テレビ３５の電源がオフにされた」を出力する。テレビ３５の電源がオフにされたことから、おじいちゃんが出かけた可能性がある。ただし、単にテレビ３５を見るのを止めただけの可能性もあり、おじいちゃんが出かけたとは断定できない。
【００４５】
時刻１２：００（時刻Ｄ）において、エアコン３４の消費電力量が０と見なせる状態になり、主幹電力量が閾値電力量Ｐｔｈを下回る。イベント判定部１３は、時刻Ｄにおいて、イベントの発生「有」、および、イベントの種別「住宅３０が定常状態になった、エアコン３４の電源がオフにされた」を出力する。エアコン３４の電源がオフにされ、主幹電力量が閾値電力量Ｐｔｈを下回ったことから、おじいちゃんが住宅３０において活動していない可能性が高い。
【００４６】
時刻１４：００（時刻Ｅ）において、テレビ３５の消費電力量が０と見なせない状態になる。イベント判定部１３は、時刻Ｅにおいて、イベントの発生「有」、および、イベントの種別「テレビ３５の電源がオンにされた」を出力する。テレビ３５の電源がオンにされたので、おじいちゃんが住宅３０にいる可能性がある。しかし、主幹電力量は、閾値電力量Ｐｔｈを上回っておらず、住宅３０は定常状態のままである。したがって、おじいちゃんが住宅３０にいるとは断言できない。
【００４７】
時刻１５：００（時刻Ｆ）において、テレビ３５の消費電力量はあいかわらず０とみなせない状態であり、テレビ３５が継続して利用されていることがわかる。これに伴い、主幹電力量も閾値電力量Ｐｔｈを上回りはじめる。イベント判定部１３は、時刻Ｆにおいて、イベントの発生「有」、および、イベントの種別「住宅３０が活性化された」を出力する。主幹電力量が閾値電力量Ｐｔｈを上回ったので、時刻Ｅと比較して、おじいちゃんが住宅３０にいる可能性は、より高くなった。
【００４８】
時刻１６：００（時刻Ｇ）において、エアコン３４の消費電力量が０と見なせない状態になる。イベント判定部１３は、時刻Ｇにおいて、イベントの発生「有」、および、イベントの種別「エアコン３４の電源がオンにされた」を出力する。テレビ３５に加えて、エアコン３４の電源もオンにされたため、おじいちゃんは住宅３０にいると考えられる。
【００４９】
時刻２３：００（時刻Ｈ）において、エアコン３４の消費電力量およびテレビ３５の消費電力量が０と見なせる状態になる。イベント判定部１３は、時刻Ｈにおいて、イベントの発生「有」、および、イベントの種別「エアコン３４の電源がオフにされた、テレビ３５の電源がオフにされた」を出力する。エアコン３４およびテレビ３５の電源がいずれもオフにされたことから、おじいちゃんが住宅３０において活動しなくなった可能性がある。この状態としては、おじいちゃんが寝床についたなどが考えられる。
【００５０】
時刻０：００（時刻Ｉ）において、主幹電力量が閾値電力量Ｐｔｈを下回る。イベント判定部１３は、時刻Ｉにおいて、イベントの発生「有」、および、イベントの種別「住宅３０が定常状態になった」を出力する。エアコン３４およびテレビ３５の電源がいずれもオフであり、住宅３０が定常状態になったことから、住宅３０の照明などは消され、おじいちゃんが就寝した可能性が高い。
【００５１】
（対象者のステータス判定）
ステータス判定部１４（ステータス判定手段）は、イベント判定部１３によって判定されたイベントと、時計１５から供給される時刻情報とに基づいて、おじいちゃんのステータスを判定する。さらに、ステータス判定部１４は、判定したおじいちゃんのステータスを、メッセージ抽出部１６に供給し、ＤＢ記憶部１８に逐次的に記憶させる。本実施形態において、おじいちゃんのステータスには、起床、就寝、外出、帰宅の少なくとも何れかが含まれる。ステータス判定部１４が実行する処理について以下に説明する。
【００５２】
ステータス判定部１４は、イベント判定部１３から判定結果（イベント）を供給されると、時計１５から供給される時刻情報に基づいて時間帯を特定する。本実施形態において、供給された時刻情報と特定する時間帯とは、図４に示す図のように対応付けられている。
【００５３】
時刻Ａにおける判定結果をイベント判定部１３から受け取った場合、ステータス判定部１４は、図４の表に基づき、時間帯は朝であると特定する。時刻Ａにおけるイベント判定部１３の判定結果は、イベントの発生「有」、イベントの種別「住宅３０が活性化された、エアコン３４の電源がオンにされた」であり、時間帯は朝であることから、ステータス判定部１４は、おじいちゃんのステータスを「起床」と判定する。なお、以下において、イベント判定部１３の判定結果におけるイベントの発生「有」については省略し、イベントの種別のみを記載する。
【００５４】
時刻Ｂにおける判定結果をイベント判定部１３から受け取った場合、ステータス判定部１４は、判定結果がイベントの種別「テレビ３５の電源がオンにされた」であり、時間帯が朝であることから、おじいちゃんのステータスを「起床」と判定する。
【００５５】
時刻Ｃにおけるイベント判定部１３の判定結果は、イベントの種別「テレビ３５の電源がオフにされた」である。ステータス判定部１４は、テレビ３５の電源がオフされたこと、および、時間帯が昼であることから、おじいちゃんのステータスを「外出」と判定する。
【００５６】
時刻Ｄにおけるイベント判定部１３の判定結果は、イベントの種別「住宅３０が定常状態になった、エアコン３４の電源がオフにされた」である。ステータス判定部１４は、住宅３０が定常状態になったこと、エアコン３４の電源がオフにされたこと、および、時間帯が昼であることから、おじいちゃんのステータスを「外出」と判定する。
【００５７】
時刻Ｅにおけるイベント判定部１３の判定結果は、イベントの種別「テレビ３５の電源がオンにされた」である。ステータス判定部１４は、テレビの電源がオンにされたこと、および、時間帯が昼であることから、おじいちゃんのステータスを「帰宅」と判定する。
【００５８】
時刻Ｆにおけるイベント判定部１３の判定結果は、イベントの種別「住宅３０が活性化された」である。ステータス判定部１４は、住宅３０が活性化されたこと、および、時間帯が昼であることから、おじいちゃんのステータスを「帰宅」と判定する。
【００５９】
時刻Ｇにおけるイベント判定部１３の判定結果は、イベントの種別「エアコン３４の電源がオンにされた」である。ステータス判定部１４は、エアコン３４の電源がオンにされたこと、および、時間帯が昼であることから、おじいちゃんのステータスを「帰宅」と判定する。
【００６０】
時刻Ｈにおけるイベント判定部１３の判定結果は、イベントの種別「エアコン３４の電源がオフにされた、テレビ３５の電源がオフにされた」である。ステータス判定部１４は、エアコン３４の電源がオフにされたこと、テレビ３５の電源がオフにされたこと、および、時間帯が夜であることから、おじいちゃんのステータスを「就寝」と判定する。
【００６１】
時刻Ｉにおけるイベント判定部１３の判定結果は、イベントの種別「住宅３０が定常状態になった」である。ステータス判定部１４は、住宅３０が定常状態になったこと、および、時間帯が夜であることから、おじいちゃんのステータスを「就寝」と判定する。
【００６２】
本実施形態において、ステータス判定部１４は、イベント判定部１３から供給される１つの判定結果（イベント）に基づいておじいちゃんのステータスを判定している。しかし、ステータス判定部１４は、イベント判定部１３から一定時間の間に供給される複数の判定結果（イベント）に基づいて、おじいちゃんのステータスを判定可能なように構成されていてもよい。ここで、一定時間は、ステータス判定部１４が、おじちゃんのステータスをより精度よく判定可能なように設定されていればよい。本実施形態では、１時間とする。
【００６３】
たとえば、ステータス判定部１４は、１時間の間に、イベント判定部１３からイベントの種別「エアコン３４の電源がオンにされた」および「テレビ３５の電源がオンされた」を受け取ったときに、おじいちゃんのステータス「起床」をメッセージ抽出部１６に供給するように構成されていてもよい。
【００６４】
同様に、ステータス判定部１４は、１時間の間に、イベント判定部１３からイベントの種別「エアコン３４の電源がオフされた」「テレビ３５の電源がオフされた」および「住宅３０が定常状態になった」を受け取った時に、おじいちゃんのステータス「就寝」をメッセージ抽出部１６に供給するように構成されていてもよい。
【００６５】
上記の構成によれば、おじいちゃんのステータスを、より精度よく判定することができる。
【００６６】
時刻Ｂにおけるステータスを判定する際に、ＤＢ記憶部１８に記憶されている過去のステータスを参照すると、前回（時刻Ａ）のステータスも「起床」である。このように、イベント判定部１３から判定結果を受け取ったものの、おじいちゃんのステータスが前回のステータスと同じ場合、ステータス判定部１４は、判定したステータスをＤＢ記憶部１８に記憶させるのみで、メッセージ抽出部１６には供給しないように構成されていることが好ましい。言い換えれば、ステータス判定部１４は、過去のステータス判定結果を参照して、所定の時間内に重複するステータス判定結果が存在する場合は、重複するステータス判定結果を、メッセージ抽出部１６に供給しないように構成されていることが好ましい。メッセージ抽出部１６によって抽出された同じステータスに基づくメッセージを何度も確認することは、メッセージを受信する見守り者にとって面倒であり、見守り者がメッセージの確認を怠る原因になり得るためである。
【００６７】
また、たとえば、時刻Ｈにおけるステータスを判定する際に、ステータス判定部１４は、おじいちゃんに関する過去のステータス判定結果を参照して、おじいちゃんが「帰宅」していることを確認することが好ましい。おじいちゃんが「就寝」するためには、おじいちゃんは住宅３０に「帰宅」している必要があるためである。おじいちゃんが「外出」した後に「帰宅」することなく「就寝」することは、おじいちゃんの行動としてあり得ない。
【００６８】
このように、ステータス判定部１４は、おじいちゃんのステータスを判定する際に、過去のステータス判定結果を参照し、過去のステータス判定結果と矛盾しないステータスを判定することが好ましい。
【００６９】
（メッセージ生成処理）
メッセージ抽出部１６（メッセージ生成手段）は、ステータス判定部１４から供給されるおじいちゃんのステータスと、時計１５から供給される時刻情報とに基づいて、おじいちゃんの行動に関するメッセージを生成する。メッセージ抽出部１６は、その都度、独自にメッセージを生成するように構成されていてもよい。また、メッセージ抽出部１６は、予め記憶手段に記憶されている複数のメッセージの中から、特定のメッセージを抽出または選択することによって、メッセージを生成するように構成されていてもよい。メッセージを抽出または選択することは、メッセージを生成することの一例である。
【００７０】
本実施形態において、メッセージ抽出部１６は、リスト記憶部１９に記憶されているメッセージリストの中から、おじいちゃんの行動に関するメッセージを抽出することによってメッセージを生成するものとして説明する。メッセージ抽出部１６は、抽出したメッセージを、メッセージ送信部１７に供給する。なお、メッセージ抽出部１６は、時刻を直接参照する構成としてもよいし、おじいちゃんのステータスを介して時刻を間接的に参照する構成としてもよい。
【００７１】
図５および図６を参照しながら、メッセージ抽出部１６が抽出（生成）するメッセージについて説明する。図５は、時間帯が「朝」である場合に、メッセージ抽出部１６が抽出するメッセージの一例を示す図である。図６は、時間帯が「夜」である場合に、メッセージ抽出部１６が抽出するメッセージの一例を示す図である。本実施形態において、メッセージ抽出部１６は、図５および図６に示すメッセージのうち、メッセージ１のみを抽出する。メッセージ２および３については、実施形態２において説明する。
【００７２】
時間帯が「朝」である場合、図５（ａ）に示すように、(i)主幹電力量が０．２５ｋＷｈを上回った時、(ii)テレビ３５の消費電力量が０と見なせなくなったとき、(iii)エアコン３４の消費電力量が０と見なせなくなったとき、の何れであっても、ステータス判定部１４は、おじいちゃんのステータスを「起床」と判定する。メッセージ抽出部１６は、時間帯が「朝」であり、おじいちゃんのステータスが「起床」であると、メッセージ「おはよう」をメッセージリストから抽出する。
【００７３】
また、図５（ｂ）に示すように、(i)主幹電力量が０．２５ｋＷｈを下回った時、(ii)テレビ３５の消費電力量が０と見なせるようになったとき、(iii)エアコン３４の消費電力量が０と見なせるようになったとき、の何れであっても、ステータス判定部１４は、おじいちゃんのステータスを「外出」と判定する。メッセージ抽出部１６は、時間帯が「朝」であり、おじいちゃんのステータスが「外出」であると、メッセージ「行ってきます」または「ちょっとそこまで」をメッセージリストから抽出する。
【００７４】
時間帯が「夜」である場合、図６（ａ）に示すように、(i)主幹電力量が０．２５ｋＷｈを下回った時、(ii)テレビ３５の消費電力量が０と見なせるようになったとき、(iii)エアコン３４の消費電力量が０と見なせるようになったとき、の何れであっても、ステータス判定部１４は、おじいちゃんのステータスを「就寝」と判定する。メッセージ抽出部１６は、時間帯が「夜」であり、おじいちゃんのステータスが「就寝」であると、メッセージ「おやすみ」をメッセージリストから抽出する。
【００７５】
また、図６（ｂ）に示すように、(i)主幹電力量が０．２５ｋＷｈを上回った時、(ii)テレビ３５の消費電力量が０と見なせなくなったとき、(iii)エアコン３４の消費電力量が０と見なせなくなったとき、の何れであっても、ステータス判定部１４は、おじいちゃんのステータスを「帰宅」と判定する。メッセージ抽出部１６は、時間帯が「夜」であり、おじいちゃんのステータスが「帰宅」であると、メッセージ「ただいま」をメッセージリストから抽出する。
【００７６】
図５および図６に示すメッセージは、あくまでもメッセージ抽出部１６が抽出するメッセージの一例である。メッセージリストには、おじいちゃんの行動に関するメッセージであって、時間帯およびおじいちゃんのステータスに応じて好ましいと考えられるメッセージを、適宜格納しておけばよい。また、メッセージ抽出部１６は、時間帯およびおじいちゃんのステータスに応じて好ましいと考えられるメッセージを、適宜、抽出可能なように構成されていればよい。
【００７７】
（メッセージの表示）
メッセージ送信部１７は、メッセージ抽出部１６が抽出したメッセージを伝言板に表示させる旨の指示を、通信部１１を介して伝言板サーバ２０に送信する。伝言板サーバ２０は、メッセージ送信部１７からの指示に基づいて、メッセージ抽出部１６が抽出したメッセージを表示するように、伝言板を更新する。この時、伝言板サーバ２０は、おじいちゃんの行動に関するメッセージを更新したことを、ホームグループに登録されている携帯端末２、５２ａ、５２ｂ、５２ｃおよびテレビ５３の各端末に通知する。
【００７８】
ホームグループに登録されている各端末のユーザ（見守り者）は、当該通知を受けることによって、伝言板に表示されているおじいちゃんの行動に関するメッセージを確認し、おじいちゃんの行動を容易に想像することができる。具体的には、メッセージ「おはよう」を見れば、おじいちゃんが起床したことを容易に想像できるし、メッセージ「ただいま」を見れば、おじいちゃんが帰宅したことを容易に想像できる。すなわち、メッセージ生成装置１０は、見守り者がおじいちゃんの様子を具体的に想像しやすいメッセージを生成するメッセージ生成装置である。
【００７９】
（変形例１）
本実施形態において、住宅３０に配置されている情報取得装置３２が、エアコン３４およびテレビ３５の電力情報をまとめて取得し、メッセージ生成装置１０に送信している。しかし、住宅３０に情報取得装置３２は配置されておらず、その代わりに、参照情報である電力情報を取得する参照情報取得手段を、メッセージ生成装置１０が備えていてもよい。
【００８０】
〔実施形態２〕
本実施形態に係るメッセージ生成装置１０について、主に図７を参照して以下に説明する。なお、説明の便宜上、上記実施形態にて説明した部材と同じ機能を有する部材については、同じ符号を付記し、その説明を省略する。
【００８１】
本実施形態において、(i)メッセージ生成装置１０は、たとえば図５（ａ）に示すメッセージ１〜３を抽出し、(ii)おじいちゃんは、これらのメッセージの中から見守り者へ送信したい１又は複数のメッセージを選択する。図７を参照しながら、メッセージ生成装置１０を備えているメッセージ生成システム１００における処理の流れを説明する。
【００８２】
住宅３０に配置されている情報取得装置３２は、主幹電力量、エアコン３４の消費電力量およびテレビ３５の消費電力量を含む電力情報を、メッセージ生成装置１０へ送信する（ステップＳ１０１）。
【００８３】
イベント判定部１３は、それぞれの電力情報を参照して、イベントの有無および発生したイベント（イベントの種別）を判定する（ステップＳ１０２）。
【００８４】
ステータス判定部１４は、イベント判定部１３の判定結果と、時刻情報とに基づいて、おじいちゃんのステータスを判定する（ステップＳ１０３）。なお、ここまでの処理は、実施形態１に記載のものと同一である。
【００８５】
メッセージ抽出部１６は、おじいちゃんの行動に関する複数のメッセージを抽出（生成）する。たとえば、時間帯が「朝」であり、主幹電力量が０．２５ｋＷｈを上回った時に、メッセージ抽出部１６は、「おはよう」、「起きました」および「気持ちいい朝だね」を抽出し、メッセージ送信部１７に供給する（ステップＳ１０４）。
【００８６】
メッセージ送信部１７は、通信部１１を介して、上記３つのメッセージをおじいちゃんの携帯端末２へ送信する（ステップＳ１０５）。
【００８７】
おじいちゃんの携帯端末２が備えている表示制御部（図１に図示せず）は、メッセージ生成装置１０から受信した上記３つのメッセージを、選択可能なように携帯端末２が備えている表示部に表示する（ステップＳ１０６）。
【００８８】
おじいちゃんは、携帯端末２に表示された上記３つのメッセージを確認し、その中から１または複数のメッセージを選択する（ステップＳ１０７）。たとえば、おじいちゃんは、「起きました」のみを選択してもよいし、「おはよう」および「気持ちいい朝だね」を選択してもよい。ここでは、「おはよう」および「気持ちいい朝だね」がおじいちゃんに選択されたものとして説明する。携帯端末２は、上記２つメッセージが選択されたことを、メッセージ生成装置１０に送信する。
【００８９】
情報取得部１２は、上記２つのメッセージが選択されたことをメッセージ抽出部１６に供給する。メッセージ抽出部１６は、上記２つのメッセージが選択されたことに基づき、リスト記憶部１９から、選択された上記２つのメッセージを抽出し、メッセージ送信部１７に供給する。メッセージ送信部１７は、メッセージ抽出部１６から供給された上記２つのメッセージを、伝言板に表示させる旨の指示を、通信部１１を介して伝言板サーバ２０に送信する（ステップＳ１０８）。以上のように、メッセージ抽出部１６は、ユーザ入力に基づき、少なくとも１つのメッセージを選択する選択手段でもある。
【００９０】
伝言板サーバ２０は、メッセージ送信部１７からの指示に基づいて、メッセージ抽出部１６が抽出したメッセージを表示するように、伝言板を更新する。この時、伝言板サーバ２０は、おじいちゃんの行動に関するメッセージを更新したことを、ホームグループに登録されている携帯端末２、５２ａ、５２ｂ、５２ｃおよびテレビ５３の各端末に通知する（ステップＳ１０９）。
【００９１】
上記の構成によれば、メッセージ抽出部１６が抽出する複数のメッセージの中には、おじいちゃんの行動に関するメッセージ（たとえば「おはよう」または「起きました」）に加えて、おじいちゃんの心情を反映するメッセージ（たとえば「気持ちいい朝だね」）が含まれている。このように、おじいちゃんが選択可能なメッセージの中に、おじいちゃんの心情を反映するメッセージを加えておくことによって、見守り者は、おじいちゃんの行動のみならず、おじいちゃんの心情を容易に想像することができる。
【００９２】
〔実施形態３〕
本実施形態に係るメッセージ生成装置２１０について、図８および図９を参照して以下に説明する。なお、説明の便宜上、上記実施形態にて説明した部材と同じ機能を有する部材については、同じ符号を付記し、その説明を省略する。
【００９３】
メッセージ生成装置２１０は、参照情報として、家電機器の消費する電力情報ではなく、家電機器が生成する状態情報と操作情報とを含む機器情報を参照する点が、実施形態１および２に記載のメッセージ生成装置１０と異なる。状態情報は、家電機器における現時点の状態を示す情報である。また、操作情報は、ユーザからの指示に基づいて、家電機器が実行した操作に関する情報である。ほとんどの場合、ユーザ操作によって家電機器の状態が変化するため、操作情報の前後で状態情報も変化する。このため、操作情報は、家電機器の状態変化を示す情報の一例として捉えることもできる。また、ユーザ操作によらず、家電機器内の制御処理によって家電機器の状態が変化することもある。状態情報から、おじいちゃんのステータスを判定することが可能であるが、おじいちゃんの操作に基づく情報である操作情報を取得することがより望ましい。したがって、本実施形態では、イベント判定部２１３は、操作情報を参照情報として参照してイベントを判定するものとして説明する。
【００９４】
（家電機器）
図８は、メッセージ生成装置２１０を含むメッセージ生成システム２００の要部構成を示すブロック図である。住宅２３０に配置されている家電機器は、操作情報を生成する操作情報生成部を備えている。図８には、家電機器の例としてエアコン２３４およびテレビ２３５を図示している。エアコン２３４は操作情報生成部２３４Ｃを備え、テレビ２３５は操作情報生成部２３５Ｃを備えている。なお、住宅２３０に配置されている家電機器は、エアコン２３４およびテレビ２３５に限定されるものではなく、操作情報を生成可能な家電機器であればよい。家電機器の他の例として、トイレ、床暖房、照明装置、電子レンジなどが挙げられる。
【００９５】
（操作情報）
家電機器がエアコン２３４であれば、操作情報は、「電源がオン／オフにされた」「動作モードが暖房から冷房に切り替えられた」「設定温度が上げられた／下げられた」などである。実行した操作が電源のオンまたはオフである場合、操作情報は、当該操作がリモコンにより指示された操作であるのか、予め設定されていたタイマーの指示に基づく操作であるのかを示す情報をさらに含んでいることが好ましい。イベント判定部２１３がイベントを判定する際に、リモコンによる操作に関する操作情報を取得した場合、ステータス判定部２１４は、イベント判定結果に基づいて、おじいちゃんは住宅３０に在宅していると判定可能である。すなわち、ステータス判定部２１４における判定精度を高めることができる。
【００９６】
家電機器がテレビ２３５であれば、操作情報は、「電源がオン／オフにされた」「視聴するチャンネル（ｃｈ）が変更された」「○○ｃｈの録画が開始された」などである。エアコン２３４の場合と同様に、操作情報は、リモコンからの指示による操作なのか、予め予約されていた操作なのかを示す情報をさらに含んでいることが好ましい。
【００９７】
家電機器がトイレであれば、操作情報は、たとえば「水が流された」である。時間帯が朝であり、操作情報「水が流された」を取得した場合、おじいちゃんが起床した確率は極めて高い。
【００９８】
家電機器が床暖房であれば、操作情報は、「電源がオン／オフにされた」、「設定温度が上げられた／下げられた」などである。これらの操作情報は、当該操作が操作パネルを介して指示された操作であるのか、予め設定されていたタイマーの指示に基づく操作であるのかを示す情報をさらに含んでいることが好ましい。イベント判定部２１３がイベントを判定する際に、操作パネルによる操作に関する操作情報を取得した場合、ステータス判定部２１４は、イベント判定結果に基づいて、おじいちゃんは住宅３０に在宅していると判定可能である。すなわち、ステータス判定部２１４における判定精度を高めることができる。
【００９９】
家電機器が照明装置である場合、操作情報は、「電源がオン／オフにされた」である。照明装置が生成する操作情報は、当該操作が操作パネルを介して指示された操作であるのか、家電機器を操作可能に構成されており携帯端末に予めインストールされているアプリケーションからの指示による操作なのかを示す情報をさらに含んでいることが好ましい。また、照明装置が生成する操作情報は、照明装置が配置されている場所を示す配置情報をさらに含んでいることが好ましい。配置情報は、たとえば「玄関」「リビングルーム」「寝室」などである。
【０１００】
家電機器が電子レンジである場合、操作情報は、「電子レンジのスタート／ストップ」である。電子レンジは、リモコンで制御されたり、タイマーで制御されたりすることがない。すなわち、おじいちゃんが住宅３０に在宅していることがより高い確率で判定でき、ステータス判定部２１４における判定精度を高めることができる。
【０１０１】
情報取得装置２３２は、操作情報生成部２３４Ｃおよび２３５Ｃからそれぞれの操作情報を取得し、ホームゲートウェイ３１を介して、これらの操作情報をメッセージ生成装置２１０に送信する。
【０１０２】
メッセージ生成装置２１０が備えている情報取得部１２は、通信部１１を介して、ホームゲートウェイ３１が送信する操作情報を取得し、イベント判定部２１３に供給する。
【０１０３】
（イベントの判定）
イベント判定部２１３は、参照情報である操作情報を参照して、イベントの種別を判定する。操作情報は、家電機器がユーザによって指示された操作を実行した際に生成されるものである。したがって、イベント判定部２１３が操作情報を取得したということは、イベント発生の有無は「有」であることを意味する。たとえば、エアコン２３４が生成した操作情報が「リモコンから電源がオンにされた」である場合、イベント判定部２１３は、イベントの種別「エアコン２３４の電源がリモコンからオンにされた」と判定し、当該判定結果をステータス判定部２１４に供給する。
【０１０４】
イベント判定部２１３が操作情報を参照してイベントの判定を行うことによって、消費する電力量が低いために電力情報からはイベント発生の有無を判定できない家電機器のイベントを判定することができる。たとえば、トイレの水を流した際に消費する電力量はわずかであるため、たとえ電力量検出器をトイレに配置したとしても、トイレの水が流されたことを検知することは困難である。トイレが操作情報生成部を備えており、操作情報を生成することによって、トレイの水が流されたことを、イベント判定部２１３は判定可能である。
【０１０５】
（対象者のステータス判定）
ステータス判定部２１４（ステータス判定手段）は、時計１５から供給される時刻情報に基づいて時間帯を特定する（図４参照）。その上で、特定した時間帯と、イベント判定部２１３によって判定されたイベントとに基づいて、おじいちゃんのステータスを判定する。ステータス判定部２１４は、判定したおじいちゃんのステータスを、メッセージ抽出部１６に供給し、ＤＢ記憶部２１８に逐次的に記憶させる。
【０１０６】
たとえば、時刻情報に基づいて特定した時間帯が「朝」であり、イベント判定部２１３の判定結果がイベント種別「エアコン２３４の電源がリモコンからオンにされた」であれば、ステータス判定部２１４は、おじいちゃんのステータスを「起床」と判定する。
【０１０７】
時刻情報に基づいて特定した時間帯が「夜」であり、イベント判定部２１３の判定結果がイベント種別「寝室の照明装置の電源が操作パネルからオフにされた」であれば、ステータス判定部２１４は、おじいちゃんのステータスを「就寝」と判定する。
【０１０８】
なお、ステータス判定部２１４は、操作情報を生成する家電機器が通常は使用されない季節であれば、当該家電機器が生成する操作情報に基づくイベントの判定結果を無視するように構成されていてもよい。この場合、時計１５は、時刻とともに日付を示す情報を含む時刻情報を、ステータス判定部２１４に供給するように構成される。
【０１０９】
たとえば、床暖房を使用する季節は、一般的に冬である。そこで、冬である１２月〜３月の期間において、ステータス判定部２１４は、床暖房が生成する操作情報に基づくイベントの判定結果からおじいちゃんのステータスを判定するが、４月〜１１月の期間では、ステータス判定部２１４は、床暖房が生成する操作情報に基づくイベントの判定結果をあえて無視するように構成するということである。
【０１１０】
また、操作情報が示す操作が、予め設定されていたタイマーの指示に基づく操作、または、予め予約されていた操作である場合に、ステータス判定部２１４は、当該操作情報に基づくイベントの判定結果を無視するように構成されていることが好ましい。たとえば、エアコン２３４は、予め設定されていたタイマーの指示に基づいて、おじいちゃんが起床しているか否かに関わらず、電源をオンにすることができる。また、テレビ２３５は、予め予約されていた録画予約に基づいて、おじいちゃんが住宅２３０に在宅であるか否かに関わらず、番組の録画を開始することができる。上記の構成によれば、タイマーの指示に基づく操作、または、予約されていた操作である場合に、ステータス判定部２１４は、当該操作情報に基づくイベントの判定結果を無視するので、おじいちゃんのステータスを判定する際の精度を向上させることができる。
【０１１１】
なお、本実施形態において、ステータス判定部２１４は、イベント判定部２１３から供給される１つの判定結果（イベント）に基づいておじいちゃんのステータスを判定している。しかし、ステータス判定部２１４は、複数の判定結果（イベント）に基づいて、おじいちゃんのステータスを判定可能なように構成されていてもよい。当該構成によれば、おじいちゃんのステータスを、より精度よく判定することができる。
【０１１２】
（メッセージ生成処理）
メッセージ抽出部１６（メッセージ生成手段）は、ステータス判定部２１４から供給されるおじいちゃんのステータスと、時計１５から供給される時刻情報とに基づいて、リスト記憶部１９に記憶されているメッセージリストの中から、おじいちゃんの行動に関するメッセージを抽出（生成）する。メッセージ抽出部１６は、抽出したメッセージを、メッセージ送信部１７に供給する。なお、メッセージ抽出部１６は、日付および時刻を直接参照する構成としてもよいし、ステータスを介して日付および時刻を間接的に参照する構成としてもよい。
【０１１３】
図９を参照しながら、メッセージ抽出部１６が抽出（生成）するメッセージについて説明する。図９は、時間帯が「朝」である場合に、メッセージ抽出部１６が抽出するメッセージの一例を示す図である。
【０１１４】
図９に示すように、(i)トイレの水が流された、(ii)テレビの電源がオンにされた、(iii)床暖房の電源が、操作パネルからオンにされた、(iv)エアコンの電源が、リモコンからオンにされた、の何れであっても、ステータス判定部２１４は、おじいちゃんのステータスを「起床」と判定する。メッセージ抽出部１６は、時間帯が「朝」であり、おじいちゃんのステータスが「起床」であると、メッセージ１の「おはよう」をメッセージリストから抽出する。
【０１１５】
なお、メッセージ２およびメッセージ３については、実施形態４において後述する。
【０１１６】
図９に示すメッセージは、あくまでもメッセージ抽出部１６が抽出するメッセージの一例である。メッセージリストには、おじいちゃんの行動に関するメッセージであって、時間帯およびおじいちゃんのステータスに応じて好ましいと考えられるメッセージを、適宜格納しておけばよい。また、メッセージ抽出部１６は、時間帯およびおじいちゃんのステータスに応じて好ましいと考えられるメッセージを、適宜、抽出可能なように構成されていればよい。
【０１１７】
（メッセージの表示）
メッセージ生成装置２１０は、実施形態１に記載のメッセージ生成装置１０と同様に、メッセージ抽出部１６が抽出したメッセージを伝言板に表示させる。よって、ここでは、その説明を省略する。
【０１１８】
（変形例２）
本実施形態において、住宅２３０に配置されている情報取得装置２３２が、エアコン２３４およびテレビ２３５の操作情報をまとめて取得し、メッセージ生成装置２１０に送信している。しかし、住宅２３０に情報取得装置２３２は配置されておらず、その代わりに、参照情報である操作情報を取得する参照情報取得手段を、メッセージ生成装置２１０が備えていてもよい。
【０１１９】
〔実施形態４〕
本実施形態に係るメッセージ生成装置２１０について、図１０を参照して以下に説明する。なお、説明の便宜上、上記実施形態にて説明した部材と同じ機能を有する部材については、同じ符合を付記し、その説明を省略する。
【０１２０】
本実施形態において、(i)メッセージ生成装置２１０は、たとえば図９に示すメッセージ１〜３を抽出し、(ii)おじいちゃんは、これらのメッセージの中から見守り者へ送信したい１又は複数のメッセージを選択する。図１０を参照しながら、メッセージ生成装置２１０を備えているメッセージ生成システム２００における処理の流れを説明する。
【０１２１】
住宅２３０に配置されている情報取得装置２３２は、エアコン２３４の操作情報およびテレビ２３５の操作情報を、メッセージ生成装置２１０へ送信する（ステップＳ２０１）。
【０１２２】
イベント判定部２１３は、それぞれの操作情報を参照して、発生したイベント（イベントの種別）を判定する（ステップＳ２０２）。
【０１２３】
ステータス判定部２１４は、イベント判定部２１３の判定結果と、日付および時刻を示す時刻情報とに基づいて、おじいちゃんのステータスを判定する（ステップＳ２０３）。なお、ここまでの処理は、実施形態３に記載のものと同一である。
【０１２４】
メッセージ抽出部１６は、おじいちゃんの行動に関する複数のメッセージを抽出（生成）する。たとえば、時間帯が「朝」であり、イベントの種別が「トイレの水が流された」である場合、メッセージ抽出部１６は、「おはよう」、「起きました」および「気持ちの良い朝だね」を抽出し、メッセージ送信部１７に供給する（ステップＳ２０４）。
【０１２５】
メッセージ送信部１７は、通信部１１を介して、上記３つのメッセージをおじいちゃんの携帯端末２へ送信する（ステップＳ２０５）。
【０１２６】
おじいちゃんの携帯端末２が備えている表示制御部（図１に図示せず）は、メッセージ生成装置２１０から受信した上記３つのメッセージを、選択可能なように携帯端末２が備えている表示部に表示する（ステップＳ２０６）。
【０１２７】
おじいちゃんは、携帯端末２に表示された上記３つのメッセージを確認し、その中から１または複数のメッセージを選択する（ステップＳ２０７）。たとえば、おじいちゃんは、「起きました」のみを選択してもよいし、「おはよう」および「気持ちいい朝だね」を選択してもよい。ここでは、「おはよう」および「気持ちいい朝だね」がおじいちゃんに選択されたものとして説明する。携帯端末２は、上記２つメッセージが選択されたことを、メッセージ生成装置２１０に送信する。
【０１２８】
情報取得部１２は、上記２つのメッセージが選択されたことをメッセージ抽出部１６に供給する。メッセージ抽出部１６は、上記２つのメッセージが選択されたことに基づき、リスト記憶部１９から、選択された上記２つのメッセージを抽出し、メッセージ送信部１７に供給する。メッセージ送信部１７は、メッセージ抽出部１６から供給された上記２つのメッセージを、伝言板に表示させる旨の指示を、通信部１１を介して伝言板サーバ２０に送信する（ステップＳ２０８）。以上のように、メッセージ抽出部１６は、ユーザ入力に基づき、少なくとも１つのメッセージを選択する選択手段でもある。
【０１２９】
伝言板サーバ２０は、メッセージ送信部１７からの指示に基づいて、メッセージ抽出部１６が抽出したメッセージを表示するように、伝言板を更新する。この時、伝言板サーバ２０は、おじいちゃんの行動に関するメッセージを更新したことを、ホームグループに登録されている携帯端末２、５２ａ、５２ｂ、５２ｃおよびテレビ５３の各端末に通知する（ステップＳ２０９）。
【０１３０】
上記の構成によれば、メッセージ抽出部１６が抽出する複数のメッセージの中には、おじいちゃんの行動に関するメッセージ（たとえば「おはよう」または「起きました」）に加えて、おじいちゃんの心情を反映するメッセージ（たとえば「気持ちいい朝だね」）が含まれている。このように、おじいちゃんが選択可能なメッセージの中に、おじいちゃんの心情を反映するメッセージを加えておくことによって、見守り者は、おじいちゃんの行動のみならず、おじいちゃんの心情を容易に想像することができる。
【０１３１】
〔実施形態５〕
本実施形態に係るメッセージ生成装置３１０について、図１１および図１２を参照して以下に説明する。なお、説明の便宜上、上記実施形態にて説明した部材と同じ機能を有する部材については、同じ符号を付記し、その説明を省略する。
【０１３２】
メッセージ生成装置３１０は、参照情報として、住宅３３０に配置されているセンサが生成するセンサ情報を参照する。
【０１３３】
（センサおよびセンサ情報）
図１１は、メッセージ生成装置３１０を含むメッセージ生成システム３００の要部構成を示すブロック図である。図１１には、住宅３３０に配置されているセンサの例として温度センサ３３４、撮像センサ３３５、集音センサ３３６および赤外線センサ３３７を図示している。
【０１３４】
撮像センサ３３５は、たとえばリビングルームに配置されており、予め設定された画角の映像を撮影および解析することによって、人物の動きを検知する。また、撮像センサは、撮影した映像を解析することによって検知した人物を特定可能に構成されていてもよい。具体的には、撮像センサ３３５は、上記映像に含まれている人物がおじいちゃんであるか否かを判定し、おじいちゃんであった場合には、おじいちゃんを検知した旨をセンサ情報として出力する。また、撮像センサ３３５は、上記映像に人物が含まれていない場合、および、上記映像に含まれている人物がおじいちゃんでなかった場合には、おじいちゃんを検知しない旨をセンサ情報として出力する。
【０１３５】
集音センサ３３６は、たとえばリビングルームに配置されており、リビングルームの音を収集し、収集した当該音のレベル（音量）に基づいて、リビングルームにおじいちゃんがいるか否かを判定し、当該判定結果をセンサ情報として出力する。なお、リビングルームの音量は、その時々の瞬間値ではなく、所定の期間における積分値によって定義されることが好ましい。瞬間値は、突発的に住宅の外において生じた音などのノイズを含んでいる虞があり、おじいちゃんが住宅３３０にいるか否かを判定する際の精度を低下させる可能性がある。所定の期間における積分値は、このようなノイズの影響を受けにくく、おじいちゃんが住宅３３０にいるか否かを判定する際に、より精度の高いセンサ情報となる。
【０１３６】
赤外線センサ３３７は、人感センサの一種であり、たとえば玄関に配置されており、玄関に人物がいるか否かを判定し、当該判定結果をセンサ情報として出力する。
【０１３７】
なお、住宅３３０に配置されているセンサは、上述のセンサに限定されるものではなく、センサ情報を生成可能なものであればよい。たとえば、住宅３３０には、人感センサの一種として圧電センサが配置されていてもよい。圧電センサは、センサの両面に印加される圧力を電圧に変換可能なセンサであり、たとえば寝室のベッドに配置しておくことによって、ベッドの上におじいちゃんがいるのか否かを検知することができる。圧電センサは、当該判定結果をセンサ情報として出力する。
【０１３８】
また、住宅３３０に配置されているセンサは、玄関の扉が開いているか否かを検知する扉開閉センサであってもよいし、上記玄関の扉が施錠されているか否かを検知する鍵センサであってもよい。
【０１３９】
温度センサ３３４は、たとえばリビングルームに配置されており、リビングルームの室温をセンサ情報として出力する。温度センサ３３４については、実施形態６において後述する。
【０１４０】
情報取得装置３３２は、撮像センサ３３５、集音センサ３３６、赤外線センサ３３７、圧電センサ、扉開閉センサおよび鍵センサから、それぞれのセンサ情報を取得し、ホームゲートウェイ３１を介して、これらの操作情報をメッセージ生成装置３１０に送信する。
【０１４１】
メッセージ生成装置３１０が備えている情報取得部１２は、通信部１１を介して、ホームゲートウェイ３１が送信するセンサ情報を取得し、イベント判定部３１３に供給する。また、情報取得部１２は、取得したセンサ情報を、ＤＢ記憶部３１８に過去のセンサ情報として記憶させる。
【０１４２】
（イベントの判定）
イベント判定部３１３は、参照情報であるセンサ情報を参照して、イベント発生の有無およびイベントの種別を判定する。イベント判定部３１３は、センサ情報が示す内容が変化した際に、イベント発生の有無を「有」と判定する。言い換えれば、センサ情報が示す内容が変化しなければ、イベント発生の有無を「無」と判定する。たとえば、集音センサが出力するセンサ情報が「おじいちゃんを感知」から「おじいちゃんを感知しない」に変化した際に、イベント判定部３１３は、イベント発生の有無を「有」と判定する。この時、イベント判定部３１３は、イベント発生「有」とともに、イベントの種別「おじいちゃんはリビングルームからいなくなった」を、ステータス判定部３１４に供給する。
【０１４３】
また、集音センサが出力するセンサ情報が「おじいちゃんを感知しない」から「おじいちゃんを感知」に変化した際に、イベント判定部３１３は、イベント発生の有無を「有」と判定する。この時、イベント判定部３１３は、イベント発生「有」とともに、イベントの種別「おじいちゃんはリビングルームにきた」を、ステータス判定部３１４に供給する。
【０１４４】
センサ情報を参照してすることによって、イベント判定部３１３は、おじいちゃんが所定の領域にいるのか否かに基づいて、イベントの判定を実行することができる。
【０１４５】
（対象者のステータス判定）
ステータス判定部３１４（ステータス判定手段）は、時計１５から供給される時刻情報に基づいて時間帯を特定する（図４参照）。その上で、特定した時間帯と、イベント判定部３１３によって判定されたイベントとに基づいて、おじいちゃんのステータスを判定する。ステータス判定部３１４は、判定したおじいちゃんのステータスを、メッセージ抽出部１６に供給し、ＤＢ記憶部３１８に過去のステータスとして逐次的に記憶させる。
【０１４６】
たとえば、リビングルームに配置されている集音センサ３３６のセンサ情報および時刻情報に基づいて、おじいちゃんのステータスを以下の通り判定してもよい。
【０１４７】
時刻情報に基づいて特定した時間帯が「朝」であり、集音センサ３３６のセンサ情報が、「おじいちゃんはいない」から「おじいちゃんはいる」に変化した際、イベント判定部３１３は、イベント種別「おじいちゃんがリビングルームにきた」を、ステータス判定部３１４に供給する。ステータス判定部３１４は、当該イベント種別をうけて、おじいちゃんのステータスを「起床」と判定する。
【０１４８】
特定した時間帯が「朝」であり、集音センサ３３６のセンサ情報が、「おじいちゃんはいる」から「おじいちゃんはいない」に変化した際、イベント判定部３１３は、イベント種別「おじいちゃんがリビングルームを出ていった」を、ステータス判定部３１４に供給する。ステータス判定部３１４は、当該イベント種別をうけて、おじいちゃんのステータスを「外出」と判定する。
【０１４９】
特定した時間帯が「夜」であり、集音センサ３３６のセンサ情報が、「おじいちゃんはいない」から「おじいちゃんはいる」に変化した際、イベント判定部３１３は、イベント種別「おじいちゃんがリビングルームにきた」を、ステータス判定部３１４に供給する。ステータス判定部３１４は、当該イベント種別をうけて、おじいちゃんのステータスを「帰宅」と判定する。
【０１５０】
特定した時間帯が「夜」であり、集音センサ３３６のセンサ情報が、「おじいちゃんはいる」から「おじいちゃんはいない」に変化した際、イベント判定部３１３は、イベント種別「おじいちゃんがリビングルームを出ていった」を、ステータス判定部３１４に供給する。ステータス判定部３１４は、当該イベント種別をうけて、おじいちゃんのステータスを「就寝」と判定する。
【０１５１】
また、別の例として、リビングルームに配置されている撮像センサ３３５が出力するセンサ情報に基づいて、おじいちゃんのステータスを以下の通り判定してもよい。
【０１５２】
特定した時間帯が「朝」であり、撮像センサ３３５のセンサ情報が、「おじいちゃんはいない」から「おじいちゃんはいる」に変化した際、イベント判定部３１３は、イベント種別「おじいちゃんがリビングルームにきた」を、ステータス判定部３１４に供給する。ステータス判定部３１４は、当該イベント種別をうけて、おじいちゃんのステータスを「起床」と判定する。
【０１５３】
特定した時間帯が「朝」「昼」のいずれかであって、撮像センサ３３５のセンサ情報が、「おじいちゃんはいる」から「おじいちゃんはいなくなった」に変化した際、イベント判定部３１３は、イベント種別「おじいちゃんがリビングルームを出ていった」を、ステータス判定部３１４に供給する。ステータス判定部３１４は、当該イベント種別をうけて、おじいちゃんのステータスを「外出」と判定する。
【０１５４】
特定した時間帯が「朝」「昼」「夜」のいずれかであって、撮像センサ３３５のセンサ情報が、「おじいちゃんはいない」から「おじいちゃんはいる」に変化した際、イベント判定部３１３は、イベント種別「おじいちゃんがリビングルームにきた」を、ステータス判定部３１４に供給する。ステータス判定部３１４は、当該イベント種別をうけて、ＤＢ記憶部３１８に記憶されている過去のステータスを参照する。おじいちゃんの過去のステータスが「外出」である場合、ステータス判定部３１４は、おじいちゃんのステータスを「帰宅」と判定する。
【０１５５】
特定した時間帯が「夜」であり、撮像センサ３３５のセンサ情報が、「おじいちゃんはいる」から「おじいちゃんはいない」に変化した際、イベント判定部３１３は、イベント種別「おじいちゃんがリビングルームを出ていった」を、ステータス判定部３１４に供給する。ステータス判定部３１４は、当該イベント種別をうけて、おじいちゃんのステータスを「就寝」と判定する。
【０１５６】
なお、本実施形態において、ステータス判定部３１４は、イベント判定部３１３から供給される１つの判定結果（イベント）に基づいておじいちゃんのステータスを判定している。しかし、ステータス判定部３１４は、複数の判定結果（イベント）に基づいて、おじいちゃんのステータスを判定可能なように構成されていてもよい。当該構成によれば、おじいちゃんのステータスを、より精度よく判定することができる。
【０１５７】
（メッセージ生成処理）
メッセージ抽出部１６（メッセージ生成手段）は、ステータス判定部３１４から供給されるおじいちゃんのステータスと、時計１５から供給される時刻情報とに基づいて、リスト記憶部１９に記憶されているメッセージリストの中から、おじいちゃんの行動に関するメッセージを抽出（生成）する。メッセージ抽出部１６は、抽出したメッセージを、メッセージ送信部１７に供給する。
【０１５８】
図１２を参照しながら、ステータス判定部３１４が判定するおじいちゃんのステータスおよびメッセージ抽出部１６が抽出するメッセージについて説明する。
【０１５９】
図１２の１行目に示すように、特定した時間帯が「朝」であって、ベッドに配置されている圧電センサのセンサ情報が「おじいちゃんの検知あり」から「おじいちゃんの検知なし」へ変化した場合、ステータス判定部３１４は、おじいちゃんのステータスを「起床」と判定する。メッセージ抽出部１６は、当該判定結果「起床」を受けて、メッセージ１に記載されている「おはよう」を抽出する。
【０１６０】
図１２の２行目に示すように、特定した時間帯が「夜」であって、ベッドに配置されている圧電センサのセンサ情報が「おじいちゃんの検知なし」から「おじいちゃんの検知あり」へ変化した場合、ステータス判定部３１４は、おじいちゃんのステータスを「就寝」と判定する。メッセージ抽出部１６は、当該判定結果「就寝」を受けて、メッセージ１に記載されている「おやすみ」を抽出する。
【０１６１】
また、本実施形態において、ステータス判定部３１４は、所定のセンサ情報が連続した場合に、おじいちゃんのステータスを判定するように構成されている。図１２の３行目に示すように、時間帯が深夜を除く「朝」「昼」「夜」のいずれかであって、(i)玄関の扉開閉センサが出力したセンサ情報より「扉が開けられた」、(ii)玄関の赤外線センサが出力したセンサ情報より「おじいちゃんを検知」、(iii)玄関の鍵センサが出力したセンサ情報より「鍵が閉められた」ことを連続して検知すると、ステータス判定部３１４は、おじいちゃんのステータスを「外出」と判定する。メッセージ抽出部１６は、当該判定結果「外出」を受けて、メッセージ１に記載されている「行ってきます」を抽出する。
【０１６２】
図１２の４行目に示すように、時間帯が深夜を除く「朝」「昼」「夜」のいずれかであって、(i)玄関の赤外線センサが出力したセンサ情報より「おじいちゃんを検知」、(ii)玄関の鍵センサが出力したセンサ情報より「鍵が開けられた」、(iii)玄関の扉開閉センサが出力したセンサ情報より「扉が開けられた」ことを連続して検知すると、ステータス判定部３１４は、おじいちゃんのステータスを「帰宅」と判定する。メッセージ抽出部１６は、当該判定結果「帰宅」を受けて、メッセージ１に記載されている「ただいま」を抽出する。
【０１６３】
なお、メッセージ２およびメッセージ３については、実施形態７において後述する。
【０１６４】
図１２に示すメッセージは、あくまでもメッセージ抽出部１６が抽出するメッセージの一例である。メッセージリストには、おじいちゃんの行動に関するメッセージであって、時間帯およびおじいちゃんのステータスに応じて好ましいと考えられるメッセージを、適宜格納しておけばよい。また、メッセージ抽出部１６は、時間帯およびおじいちゃんのステータスに応じて好ましいと考えられるメッセージを、適宜、抽出可能なように構成されていればよい。
【０１６５】
（メッセージの表示）
メッセージ生成装置３１０は、実施形態１に記載のメッセージ生成装置１０と同様に、メッセージ抽出部１６が抽出したメッセージを伝言板に表示させる。よって、ここでは、その説明を省略する。
【０１６６】
（変形例３）
本実施形態において、住宅３３０に配置されている情報取得装置３３２が、各センサのセンサ情報をまとめて取得し、メッセージ生成装置３１０に送信している。しかし、住宅３３０に情報取得装置３３２は配置されておらず、その代わりに、参照情報である操作情報を取得する参照情報取得手段を、メッセージ生成装置３１０が備えていてもよい。
【０１６７】
〔実施形態６〕
本実施形態に係るメッセージ生成装置３１０について、図１３を参照して以下に説明する。なお、説明の便宜上、上記実施形態にて説明した部材と同じ機能を有する部材については、同じ符合を付記し、その説明を省略する。
【０１６８】
本実施形態に係るメッセージ生成装置３１０が備えているメッセージ抽出部１６は、おじいちゃんの行動に関するメッセージ（たとえば図１２参照）とともに、図１３に示すような追加メッセージをメッセージリストから抽出（生成）する。図１３は、本実施形態に係るメッセージ抽出部１６が抽出する追加メッセージの一例を示す図である。メッセージ抽出部１６が、追加メッセージを抽出する方法について以下に説明する。なお、本実施形態において時計１５が提供する時刻情報は、日付を含んでいる。
【０１６９】
ステータス判定部３１４は、イベント判定部３１３の判定結果および時刻情報に基づいて、おじいちゃんのステータスを判定する。さらに、ステータス判定部３１４は、温度センサ３３４が出力するセンサ情報を情報取得部１２から取得する。温度センサ３３４は、リビングルームに配置されている温度センサであり、リビングルームの温度を、センサ情報として出力するものである。
【０１７０】
時刻情報が含む日付から特定される季節が夏である場合、ステータス判定部３１４は、温度センサ３３４のセンサ情報が示す温度が２８℃以上であれば、温度ステータスを「暑い」と判定する。一方、２３℃以下であれば、温度ステータスを「涼しい」と判定する。
【０１７１】
時刻情報が含む日付から特定される季節が冬である場合、ステータス判定部３１４は、温度センサのセンサ情報が示す温度が１０℃以上であれば、温度ステータスを「暖かい」と判定する。一方、５℃以下であれば、温度ステータスを「寒い」と判定する。
【０１７２】
ステータス判定部３１４は、おじいちゃんのステータス、温度ステータスおよび特定された時間帯を、メッセージ抽出部１６へ供給する。メッセージ抽出部１６は、おじいちゃんのステータスに基づいて、おじいちゃんの行動に関するメッセージを抽出し、さらに、温度ステータスおよび特定された時間帯に基づいて、図１３に示す追加メッセージを抽出する。
【０１７３】
たとえば、おじいちゃんのステータスが「起床」である場合、メッセージ抽出部１６は、図９に示すように「おはよう」を抽出する。さらに、温度ステータスが「暑い」であり、特定された時間帯が「朝」である場合、メッセージ抽出部１６は、追加メッセージとして「朝から暑いよ」を抽出する。したがって、メッセージ抽出部１６は、「おはよう」および「朝から暑いよ」を、メッセージ出力部１７に供給する。
【０１７４】
また、おじいちゃんのステータスが「就寝」である場合、メッセージ抽出部１６は、「おやすみ」を抽出する。さらに、温度ステータスが「寒い」であり、特定された時間帯が「夜」である場合、メッセージ抽出部１６は、追加メッセージとして「夜になって冷え込んだよ」を抽出する。したがって、メッセージ抽出部１６は、「おやすみ」および「夜になって冷え込んだよ」を、メッセージ出力部１７に供給する。
【０１７５】
上記の構成によれば、メッセージ生成装置３１０は、おじいちゃんの行動に関するメッセージに加えて、リビングルームの室温、特定された時間帯および特定された季節に基づいた追加メッセージを生成することができる。したがって、見守り者は、おじいちゃんの様子をより具体的に想像することができる。
【０１７６】
〔実施形態７〕
本実施形態に係るメッセージ生成装置３１０について、図１４を参照して以下に説明する。なお、説明の便宜上、上記実施形態にて説明した部材と同じ機能を有する部材については、同じ符号を付記し、その説明を省略する。
【０１７７】
本実施形態において、(i)メッセージ生成装置３１０は、たとえば図１２に示すメッセージ１〜３を抽出し、(ii)おじいちゃんは、これらのメッセージの中から見守り者へ送信したい１又は複数のメッセージを選択する。図１４を参照しながら、メッセージ生成装置３１０を備えているメッセージ生成システム３００における処理の流れを説明する。
【０１７８】
住宅３３０に配置されている情報取得装置３３２は、撮像センサ３３５、集音センサ３３６、赤外線センサ３３７、圧電センサ、扉開閉センサおよび鍵センサが出力する、それぞれのセンサ情報を、メッセージ生成装置３１０へ送信する（ステップＳ３０１）。
【０１７９】
イベント判定部３１３は、それぞれのセンサ情報を参照して、イベントの有無および発生したイベント（イベントの種別）を判定する（ステップＳ３０２）。
【０１８０】
ステータス判定部３１４は、イベント判定部３１３の判定結果と、時刻情報とに基づいて、おじいちゃんのステータスを判定する（ステップＳ３０３）。なお、ここまでの処理は、実施形態５に記載のものと同一である。
【０１８１】
メッセージ抽出部１６は、おじいちゃんの行動に関する複数のメッセージを抽出（生成）する。たとえば、時間帯が「朝」であり、おじいちゃんのステータスが「おはよう」である場合（図１２の１行目）、メッセージ抽出部１６は、「おはよう」、「起きました」および「気持ちいい朝だね」を抽出し、メッセージ送信部１７に供給する（ステップＳ３０４）。
【０１８２】
メッセージ送信部１７は、通信部１１を介して、上記３つのメッセージをおじいちゃんの携帯端末２へ送信する（ステップＳ３０５）。
【０１８３】
おじいちゃんの携帯端末２が備えている表示制御部は、メッセージ生成装置３１０から受信した上記３つのメッセージを、選択可能なように携帯端末２が備えている表示部に表示する（ステップＳ３０６）。
【０１８４】
おじいちゃんは、携帯端末２に表示された上記３つのメッセージを確認し、その中から１または複数のメッセージを選択する（ステップＳ３０７）。たとえば、おじいちゃんは、「起きました」のみを選択してもよいし、「おはよう」および「気持ちいい朝だね」を選択してもよい。ここでは、「おはよう」および「気持ちいい朝だね」がおじいちゃんに選択されたものとして説明する。携帯端末２は、上記２つメッセージが選択されたことを、メッセージ生成装置３１０に送信する。
【０１８５】
情報取得部１２は、上記２つのメッセージが選択されたことをメッセージ抽出部１６に供給する。メッセージ抽出部１６は、上記２つのメッセージが選択されたことに基づき、リスト記憶部１９から、選択された上記２つのメッセージを抽出し、メッセージ送信部１７に供給する。メッセージ送信部１７は、メッセージ抽出部１６から供給された上記２つのメッセージを、伝言板に表示させる旨の指示を、通信部１１を介して伝言板サーバ２０に送信する（ステップＳ３０８）。以上のように、メッセージ抽出部１６は、ユーザ入力に基づき、少なくとも１つのメッセージを選択する選択手段でもある。
【０１８６】
伝言板サーバ２０は、メッセージ送信部１７からの指示に基づいて、メッセージ抽出部１６が抽出したメッセージを表示するように、伝言板を更新する。この時、伝言板サーバ２０は、おじいちゃんの行動に関するメッセージを更新したことを、ホームグループに登録されている携帯端末２、５２ａ、５２ｂ、５２ｃおよびテレビ５３の各端末に通知する（ステップＳ３０９）。
【０１８７】
上記の構成によれば、メッセージ抽出部１６が抽出する複数のメッセージの中には、おじいちゃんの行動に関するメッセージ（たとえば「おはよう」または「起きました」）に加えて、おじいちゃんの心情を反映するメッセージ（たとえば「気持ちいい朝だね」）が含まれている。このように、おじいちゃんが選択可能なメッセージの中に、おじいちゃんの心情を反映するメッセージを加えておくことによって、見守り者は、おじいちゃんの行動のみならず、おじいちゃんの心情を容易に想像することができる。
【０１８８】
（変形例４）
上記各実施形態において、イベント判定手段であるイベント判定部は、電力情報、操作情報およびセンサ情報のいずれか１つを参照情報として参照するものとして説明した。しかし、イベント判定部は、電力情報、操作情報およびセンサ情報のうち複数の情報を参照するように構成されていてもよい。電力情報、操作情報およびセンサ情報のうち、複数の情報を参照情報として参照することによって、ステータス判定部におけるおじいちゃんのステータス判定の精度を高めることができる。
【０１８９】
〔実施形態８〕
メッセージ生成装置（１０、２１０、３１０）の制御ブロック（特にイベント判定部（１３、２１３、３１３）、ステータス判定部（１４、２１４、３１４）およびメッセージ抽出部１６）は、集積回路（ＩＣチップ）等に形成された論理回路（ハードウェア）によって実現してもよいし、ＣＰＵ（Central Processing Unit）を用いてソフトウェアによって実現してもよい。
【０１９０】
後者の場合、メッセージ生成装置１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１９１】
〔まとめ〕
本発明の態様１に係るメッセージ生成装置（１０）は、取得された参照情報を参照して、イベント発生の有無、及び発生したイベントの種別を判定するイベント判定手段（１３）と、上記イベント判定手段によって判定されたイベントと時刻情報とに基づいて対象者のステータスを判定するステータス判定手段（１４）と、上記ステータス判定手段によって判定されたステータスに基づいて、上記対象者の行動に関する１又は複数のメッセージを生成するメッセージ生成手段（１６）と、を備えている。
【０１９２】
上記の構成によれば、上記メッセージ生成装置によって、対象者の行動に関する１又は複数のメッセージが生成されるので、メッセージを受け取った見守り者は、対象者の様子を具体的に想像しやすい。
【０１９３】
本発明の態様２に係るメッセージ生成装置は、上記態様１において、上記ステータス判定手段は、上記イベント判定手段によって判定された複数のイベントに基づいて上記対象者のステータスを判定してもよい。
【０１９４】
上記の構成によれば、上記ステータス判定手段が対象者のステータスを判定する際の精度を高めることができる。
【０１９５】
本発明の態様３に係るメッセージ生成装置は、上記態様１または２において、上記ステータス判定手段は、上記対象者に関する過去のステータス判定結果を参照して、当該対象者のステータスを判定してもよい。
【０１９６】
上記の構成によれば、上記ステータス判定手段が対象者のステータスを判定する際に、過去のステータス判定結果を参照する。したがって、上記メッセージ生成手段に好ましくないステータス判定結果が供給されることを防止できる。
【０１９７】
本発明の態様４に係るメッセージ生成装置は、上記態様１から３の何れか１態様において、上記メッセージ生成手段によって生成された複数のメッセージから、ユーザ入力に基づき、少なくとも１つのメッセージを選択する選択手段を更に備えていてもよい。
【０１９８】
上記の構成によれば、上記メッセージ生成装置が生成するメッセージに、ユーザの選択を反映させることができる。
【０１９９】
本発明の態様５に係るメッセージ生成装置は、上記態様１から４の何れか１態様において、上記イベント判定手段は、上記参照情報として、電力に関する情報である電力情報、家電機器の状態または家電機器の状態変化の少なくともいずれか一方を示す機器情報、及び、センサから取得された情報であるセンサ情報のうち、１または複数の情報を参照してもよい。
【０２００】
上記の構成によれば、上記イベント判定手段は、電力情報、機器情報およびセンサ情報のうち、１または複数の情報を参照情報として参照する。したがって、上記イベント判定手段は、的確にイベントを判定することができる。
【０２０１】
本発明の態様６に係るメッセージ生成装置は、上記態様５において、上記電力情報は、各家電機器の電力量および主幹電力量のうち、少なくともいずれかを示す情報であることが好ましい。
【０２０２】
上記の構成によれば、上記電力情報が、各家電機器の電力量および主幹電力量のうち、少なくともいずれかを示す情報であるため、上記イベント判定手段は、電力量に基づいてイベントを判定することができる。電力量は、対象者が生活している態様を反映するよい指標である。
【０２０３】
本発明の態様７に係るメッセージ生成装置は、上記態様５または６において、上記機器情報は、家電機器において実行された操作に関する操作情報を含むことが好ましい。
【０２０４】
上記の構成によれば、上記イベント判定手段は、参照情報として家電機器において実行された操作に関する操作情報を参照することができる。したがって、上記イベント判定手段は、より精度よくイベントを判定することができる。
【０２０５】
本発明の態様８に係るメッセージ生成装置は、上記態様５から７の何れか一態様において、上記センサ情報は、所定の領域に上記対象者がいるのか否かを示す情報であることが好ましい。
【０２０６】
上記の構成によれば、上記センサ情報は、所定の領域に上記対象者がいるのか否かを示している。したがって、イベント判定手段は、対象者がいるのか否かを判定材料とすることができる。
【０２０７】
本発明の態様９に係るメッセージ生成装置は、上記態様８において、上記センサ情報は、人感センサ、集音センサおよび撮像センサうち、少なくともいずれかによって取得されたものであることが好ましい。
【０２０８】
上記の構成によれば、上記センサ情報は、所定の領域に上記対象者がいるのか否かを示す精度よい情報となる。
【０２０９】
本発明の態様１０に係るメッセージ生成装置は、上記態様１から９の何れか１態様において、上記ステータス判定手段が判定する上記対象者のステータスには、起床、就寝、外出、帰宅の少なくとも何れかが含まれることが好ましい。
【０２１０】
上記の構成によれば、上記対象者のステータスには、起床、就寝、外出、帰宅の少なくとも何れかが含まれるので、上記メッセージ生成手段は、上記対象者のステータスに応じて的確なメッセージを生成することができる。
【０２１１】
本発明の態様１１に係るメッセージ生成装置は、上記態様１から１０の何れか１態様において、上記参照情報を取得する参照情報取得手段を更に備えていてもよい。
【０２１２】
上記の構成によれば、上記メッセージ生成装置は、参照情報を直接取得することができる。
【０２１３】
本発明の態様１２に係るメッセージ生成方法は、取得された参照情報を参照してイベントを判定するイベント判定ステップと、上記イベント判定ステップにて判定されたイベントと時刻情報とに基づいて対象者のステータスを判定するステータス判定ステップと、上記ステータス判定ステップにて判定されたステータスに基づいて、上記対象者の行動に関する１又は複数のメッセージを生成するメッセージ生成ステップと、を含んでいる。
【０２１４】
上記の構成によれば、上記態様１に係るメッセージ生成装置と同様の効果を奏する。
【０２１５】
本発明の各態様に係るメッセージ生成装置は、コンピュータによって実現してもよく、この場合には、コンピュータを上記メッセージ生成装置が備える各手段として動作させることにより上記メッセージ生成装置をコンピュータにて実現させるプログラムも、本発明の範疇に入る。
【０２１６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２１７】
本発明は、見守りサービスにおけるメッセージ生成装置、メッセージ生成方法およびプログラムとして好適に用いられる。
【符号の説明】
【０２１８】
１０  メッセージ生成システム
１１  通信部
１２  情報取得部
１３  イベント判定部
１４  ステータス判定部
１５  時計
１６  メッセージ抽出部
１７  メッセージ送信部
１８  ＤＢ記憶部
１９  リスト記憶部
１００  メッセージ生成システム
【図１】
2015060382.tif 000003
【図２】
2015060382.tif 000004
【図３】
2015060382.tif 000005
【図４】
2015060382.tif 000006
【図５】
2015060382.tif 000007
【図６】
2015060382.tif 000008
【図７】
2015060382.tif 000009
【図８】
2015060382.tif 000010
【図９】
2015060382.tif 000011
【図１０】
2015060382.tif 000012
【図１１】
2015060382.tif 000013
【図１２】
2015060382.tif 000014
【図１３】
2015060382.tif 000015
【図１４】
2015060382.tif 000016